(57)【要約】【課題】下流側に排出される排気中の油分の含有率を減少させることが可能で、下流に排気延長ダクトが接続されている場合にも該排気延長ダクトへの油分の付着を抑制することが可能なレンジフードを提供する。【解決手段】底部に排気用吸い込み口７を備えたケーシングと、ケーシング内に配設された排気用ファンと、排気用吸い込み口の下方に配設された整流板８と、整流板と排気用吸い込み口とを囲繞するフード部とを備え、排気用ファンにより排気を行う使用状態において、整流板は、排気用吸い込み口とその周囲の領域を含む所定領域に対向する位置である使用状態用位置に位置するとともに、整流板とフード部との間に排気用吸い込み口に連通する狭幅の流路が形成されるように構成されたレンジフードであって、フード部の下面の排気用吸い込み口の外側領域で、かつ、前記整流板の上面と対向する領域に、下方に突出する畝状の凸部が設けられた構成とする。【選択図】図３
2019174079.tif 000002
【特許請求の範囲】
【請求項１】
底部に排気用吸い込み口が形成されたケーシングと、
ケーシング内に配設された排気用ファンと、
前記排気用吸い込み口の下方に配設された整流板と、
前記整流板と前記排気用吸い込み口とを囲繞するフード部と
を備え、
前記排気用ファンにより排気を行う使用状態において、前記整流板は、前記排気用吸い込み口とその周囲の領域を含む所定領域に対向する位置である使用状態用位置に位置するとともに、
前記整流板と前記フード部との間に前記排気用吸い込み口に連通する狭幅の流路が形成されるように構成されたレンジフードであって、
前記フード部の下面の、前記排気用吸い込み口の外側領域であって前記整流板の上面と対向する領域に、下方に突出する畝状の凸部が設けられていること
を特徴とするレンジフード。
【請求項２】
前記凸部として、底面視における前記整流板の存在領域を囲繞する第１凸部が設けられていることを特徴とする請求項１記載のレンジフード。
【請求項３】
前記凸部として、前記排気用吸い込み口の周縁を囲繞する第２凸部が設けられていることを特徴とする請求項１または２記載のレンジフード。
【発明の詳細な説明】
【技術分野】
【０００１】
本発明は、レンジフードに関し、詳しくは、排気に含まれる油分を補集する機能を備えたレンジフードに関する。
【背景技術】
【０００２】
例えばガスコンロやガスグリルなどの調理機器を用いて調理を行う際に、調理排気を外部に排出するために用いられるレンジフードの中には、排気に含まれる油分を低減するための構成を備えたレンジフードがある。
【０００３】
そして、そのようなレンジフードとして、特許文献１に記載されているように、排気に含まれる油分を捕集回収するために、例えば、ファンロータの上手にグリスフィルターを配備して、ファンロータに吸い込まれる排気中の油分を吸着捕集するようにしたレンジフードが知られている。
【０００４】
この特許文献１のレンジフードによれば、グリスフィルターによってファンロータに吸い込まれる排気中の油分が吸着捕集されるため、排気に含まれる油分を減少させることができて有意義である。
【０００５】
また、特許文献２には、ファンケーシングに付着させ捕集した油を流下案内して所定のオイルポケットに導くようにしたレンジフードが開示されている。
【０００６】
この特許文献２のレンジフードには、オイルポケットを取り外して回収した油を廃棄することが可能で、しかも、オイルポケット自体を比較的簡単に清掃することができるという利点がある。
【先行技術文献】
【特許文献】
【０００７】
【特許文献１】特開昭６０−１４０２９号公報
【特許文献２】特開２０００−３２９３８７号公報
【発明の概要】
【発明が解決しようとする課題】
【０００８】
上述の特許文献１および特許文献２のレンジフードにおいては、グリスフィルターや、ファンケーシングに付着させることによる油分の捕集率が１００％である場合には、レンジフードに吸い込まれた空気中の油分が完全に取り除かれた状態で、レンジフードよりも下流側に排気を排出することができる。
【０００９】
しかしながら、グリスフィルターや、ファンケーシングに付着させることによる油分の捕集率を１００％にすることは困難であるのが実情である。
【００１０】
したがって、グリスフィルターや、ファンケーシングに付着させることにより捕集できなかった油分が、レンジフードより下流側に排出されることになる。
【００１１】
一般的に、レンジフードと、屋外に面した外壁に設けられる排気用排出口との間には、排気延長ダクトが設けられることが多い。
【００１２】
したがって、レンジフードからの排気（すなわち、レンジフードの下流側に排出された排気）に含まれる油分の少なくとも一部が排気延長ダクトに付着することになる。
【００１３】
そして、レンジフードから排出された排気に含まれる油分が排気延長ダクトに付着した場合、排気延長ダクトが通常は、壁際や天井裏などに設置されることが多いことから、排気延長ダクトに付着した油分を取り除くための清掃作業には困難を伴うことが多い。
【００１４】
本発明は、上記実情に鑑みてなされたものであり、レンジフードを構成する排気用ファンの下流側に排出される排気中の油分の含有率を減少させることが可能で、かつ、レンジフードの下流に排気延長ダクトが接続されている場合にも該排気延長ダクトへの油分の付着を抑制することが可能なレンジフードを提供することを目的とする。
【課題を解決するための手段】
【００１５】
上記の目的を達成するために、本発明のレンジフードは、
底部に排気用吸い込み口が形成されたケーシングと、
ケーシング内に配設された排気用ファンと、
前記排気用吸い込み口の下方に配設された整流板と、
前記整流板と前記排気用吸い込み口とを囲繞するフード部と
を備え、
前記排気用ファンにより排気を行う使用状態において、前記整流板は、前記排気用吸い込み口とその周囲の領域を含む所定領域に対向する位置である使用状態用位置に位置するとともに、
前記整流板と前記フード部との間に前記排気用吸い込み口に連通する狭幅の流路が形成されるように構成されたレンジフードであって、
前記フード部の下面の、前記排気用吸い込み口の外側領域であって前記整流板の上面と対向する領域に、下方に突出する畝状の凸部が設けられていること
を特徴としている。
【００１６】
本発明のレンジフードにおいては、前記凸部として、底面視における前記整流板の存在領域を囲繞する第１凸部が設けられていることが好ましい。
【００１７】
また、前記凸部として、前記排気用吸い込み口の周縁を囲繞する第２凸部が設けられていることが好ましい。
【発明の効果】
【００１８】
本発明のレンジフードは、上述のように、フード部の下面の、排気用吸い込み口の外側領域で、かつ、整流板の上面と対向する領域に、下方に突出する畝状の凸部を設けるようにしているので、排気ファンの上流側における排気中に含まれる油分を減らして、レンジフードの下流側に排気延長ダクトが設けられている場合にも、レンジフードから排気された排気中の油分が排気延長ダクトに付着することを抑制することが可能なレンジフードを提供することができる。
【００１９】
すなわち、整流板の上面と、下方に突出した畝状の凸部の間を排気が通過する際、すなわち、整流板の上面と下方に突出した畝状の凸部の間を排気が通過する際に排気が圧縮され整流板の上面と下方に突出した畝状の凸部の間を通過し、圧縮されていた排気が膨張する際に油分が液滴となって整流板やフード部の下面に補集されるため、排気ファンに流入する排気および排気ファンから排出される排気に含まれる油分を減らすことが可能になり、レンジフードの下流側に排気延長ダクトが設けられている場合にも、レンジフードから排気された排気中の油分が排気延長ダクトに付着することを抑制することが可能になる。
【００２０】
また、凸部として、底面視における整流板の存在領域を囲繞する第１凸部を設けるようにした場合、排気用ファンに吸い込まれる排気、および、排気用ファンから排出される排気に含まれる油分をより効果的に減少させることが可能になる。
【００２１】
また、凸部として、排気用吸い込み口の周縁を囲繞する第２凸部を設けるようにして場合、排気用ファンに吸い込まれる排気、および、排気用ファンから排出される排気に含まれる油分をより効果的に減少させることが可能になり、有意義である。
【図面の簡単な説明】
【００２２】
【図１】本発明の一実施形態にかかるレンジフードを示す図であり、整流板の他辺をフード部に係止させたレンジフードの使用可能状態における側面断面図である。
【図２】本発明の一実施形態にかかるレンジフードを示す図であり、整流板の他辺をフード部に係止させたレンジフードの使用可能状態における正面断面図である。
【図３】本発明の一実施形態にかかるレンジフードの、整流板の図示を省略した、隔壁の底面図である。
【図４】図３に示した隔壁の底面図であって、第１凸部、および、第２凸部、および、第１凸部で囲繞された領域を示す底面図である。
【図５】図４におけるＶ−Ｖ線断面図である。
【図６】本発明の別実施形態にかかるレンジフードの、整流板の図示を省略した、隔壁の下面図である。
【発明を実施するための形態】
【００２３】
以下、本発明の実施形態を示して、その特徴とするところをさらに詳しく説明する。
【００２４】
図１は本発明の一実施形態にかかるレンジフード１の側面断面図であり、図２は正面断面図である。
【００２５】
＜レンジフードの基本構成＞
本実施形態にかかるレンジフード１は、台所などに設置されるコンロ（例えばガスコンロ）（図示せず）の上方などに配設されるレンジフードである。
【００２６】
本発明のレンジフード１は、図１、図２に示すように、吸い込み部を有する排気用ファン４と、排気用ファン４を収容するケーシング２と、整流板８を揺動可能に取り付けたフード部３とを備えている。排気用ファン４としては、例えば遠心ファンが用いられる。
【００２７】
排気用ファン４の上部には、排気用ファン４を駆動するファンモータ５が取り付けられている。
【００２８】
ケーシング２の底壁側には、下方に開口した排気用吸い込み口７が形成されており、排気用ファン４の吸い込み部が排気用吸い込み口７と連通している。排気用ファン４の吹き出し部に接続された排気ダクト３０は、ケーシング２の外部へ延びている。
【００２９】
フード部３は、下面が開口された平面視矩形状に形成されている。
【００３０】
フード部３の下面は隔壁１３により構成され、フード部３の上面は天板２１により構成されている。
【００３１】
天板２１はケーシング２の底壁の排気用吸い込み口７を塞がないように配置されている。天板２１と隔壁１３との間の領域は、制御部（図示せず）、スイッチ部６、近接センサ（図示せず）などの配線を行うための配線用通路２３として利用することができるように構成されている。
【００３２】
隔壁１３の下方には、平面視矩形状の整流板８が配設されている。この整流板８の外周端部とフード部３の外周側壁との間に環状で幅の狭い流路（狭幅流路）９が形成されている。
【００３３】
ここで、環状の流路９が幅の狭い流路（狭幅流路）とされていることから、整流板８に当たった汚染空気がこの環状の流路（狭幅流路）９内ヘと高速で流入し、これにより、ケーシング２の側方への汚染空気の溢流が抑制されて、ケーシング２の底壁の排気用吸い込み口７を経由する汚染空気の捕獲率が向上する。
【００３４】
また、隔壁１３の下面と整流板８の上面との間の領域（空間）は、排気が通流するフード内通路２２として機能するように構成されている。
そして、上述の狭幅流路９と、ケーシング２の底壁の排気用吸い込み口７とが、このフード内通路２２を介して連通するように構成されている。
なお、隔壁１３の下面と整流板８の上面との間に形成されるフード内通路２２は、高さ方向の寸法が小さく、厚みの薄い（幅の狭い）空間として形成されている。
【００３５】
また、上記フード部３の前面（図１における左側）には、上記スイッチ部６が配設されている。
【００３６】
スイッチ部６は、停止スイッチ、強スイッチ、中スイッチ、弱スイッチ、照明スイッチ、チャイルドロックスイッチを備えている。このスイッチ部６は、押し操作している間だけ接点を閉じられるモーメンタリスイッチ（例えば、タクトスイッチ）が用いられている。また、各スイッチの操作面は図示しないメンブレンシートにより覆われている。
【００３７】
スイッチ部６からの指令信号は、制御部（図示せず）に入力される。制御部は、スイッチ部６からの信号に応じて排気用ファン４の起動および起動後の回転速度および停止を制御する。
【００３８】
本実施形態では、チャイルドロックスイッチを所定時間（例えば、３秒）以上継続して押し操作すると、排気用ファン４の運転中には排気用ファン４の運転を停止し、また、排気用ファン４の運転停止中に強スイッチ、中スイッチ、あるいは弱スイッチが押し操作されても排気用ファン４の回転を開始しない状態である、チャイルドロックモードに移行する。これにより老齢者などの誤操作を未然に防止することができる。
【００３９】
また、チャイルドロックモードにおいて、チャイルドロックスイッチを所定時間（例えば、３秒）以上継続して押し操作すると、チャイルドロックモードが解除されて、通常モード用制御に切り換わり、強スイッチ、中スイッチ、あるいは、弱スイッチが押し操作されることにより、排気用ファン４の回転が可能な状態となる。
【００４０】
また、強スイッチ、中スイッチ、あるいは、弱スイッチが押し操作されて、排気用ファン４が強回転、中回転、あるいは、弱回転して、レンジフード１が稼働しているときには、台所などに設置されたコンロ（例えばガスコンロ）で発生した上昇汚染空気流が、コンロ上方の吸い込み口（狭幅流路９）からレンジフード１内に吸引され、排気用ファン４、排気ダクト３０を経て屋外へ排出される。
【００４１】
また、フード部３内の後端側には、照明用のランプ５０を設置するための照明器具設置部５１が収納されている。スイッチ部６の照明スイッチを押し操作することによりランプ５０に通電され、また、ランプ５０に通電された状態で、再度、照明スイッチを押し操作することによりランプ５０への通電が遮断される。
【００４２】
本実施形態において、上記ランプ５０は、整流板８の一辺８ａ側に開設された透光孔３２に臨ませて配置されている。透光孔３２の周囲は、整流板８の一部を上方に膨出させた膨出部３１により囲まれている。
【００４３】
膨出部３１は、ランプ５０に向かって上り勾配となるように傾斜して形成されており、ランプ５０の光は膨出部３１の下側に開口している透光孔３２を通ってレンジフード１の下方に向けて照射されるように構成されている。
【００４４】
なお、本実施形態においては、膨出部３１が、整流板８の一辺８ａと平行な左右方向に長く形成されており、これに伴って透光孔３２も左右方向に長く開口し、レンジフード１の下方への照明効果が高くなるように構成されている。
【００４５】
さらに前記膨出部３１は、フード部３内の隔壁１３と整流板８の間のフード内通路２２内に流れ込む空気の流れ（空気流）のバランスを良好に保つ働きもする。つまり、汚染空気は図１の矢印ａで示すように、環状の狭幅流路９からフード内通路２２内に吸い込まれ、さらに矢印ａ１，ａ２で示すように、ケーシング２の底壁の排気用吸い込み口７から排気用ファン４に吸い込まれる。
【００４６】
このとき、整流板８において、透光孔３２を形成するために、単に整流板８の一辺８ａの一部を切り欠いただけでは、狭幅流路９における透光孔３２の形成箇所付近の汚染空気通過用流路幅が、狭幅流路９における他の部分より広くなり、それに起因して汚染空気の流速が低下し、汚染空気の捕捉率が低下してしまうことになる。
【００４７】
そのため、本実施形態では、膨出部３１によってフード内通路２２における整流板８とフード部３の下面との間隔を狭くなるように構成して、汚染空気の流速の低下を防いで、汚染空気の捕捉率の低下を防止するようにしている。
【００４８】
整流板８の一辺８ａは、フード部３の後端側（図１における右側）に揺動可能に軸支されており、該一辺８ａと対向する他辺８ｂは、フード部３の前端側に係止すること、および、係止した状態を解除することができるように構成されている。
【００４９】
すなわち、特に図示しないが、フード部３の他辺８ｂがフード部３の前端側に係止されていない状態（非係止状態）になると、整流板８はその一辺８ａ側を支軸として、他辺８ｂが下方に回動した状態となり、この状態が整流板８の非使用状態となる。
【００５０】
これに対し、整流板８の他辺８ｂがフード部３の前端側に係止した、図１、図２に示す状態が、整流板８の使用状態となる。
なお、整流板８の係止構成に関しては、これ以上の詳細な説明は省略する。
【００５１】
＜特徴的構成＞
次に、本実施形態にかかるレンジフード１が備える特徴的構成について説明する。
【００５２】
このレンジフード１においては、フード部３の下面（すなわち隔壁１３の下面）の、排気用吸い込み口７の外側に位置する領域１０であって、整流板８の上面と対向する領域１３ａに、下方に突出する畝状の凸部１１が設けられている（図３、図４、図５参照）。
【００５３】
そして、本実施形態にかかるレンジフード１では、畝状の凸部１１として、環状の第１凸部１１ａと、第１凸部１１ａによって取り囲まれた領域に配設された環状の第２凸部１１ｂを備えている。
【００５４】
すなわち、フード部３内の隔壁１３と整流板８との間に形成されたフード内通路２２は、隔壁１３の下面から第１凸部１１ａと、第２凸部１１ｂが下方に突出した構造を有している。
【００５５】
第１凸部１１ａは、底面視における整流板８の存在領域を囲繞するように、隔壁１３の下面の周縁部近傍を周回する態様で配設されている。
【００５６】
また、第２凸部１１ｂは、隔壁１３の下面の、第１凸部１１ａに取り囲まれた領域内に、排気用吸い込み口７を囲繞する態様で配設されている。
【００５７】
なお、図３は、レンジフード１の、整流板８の図示を省略した、隔壁１３の底面図を示す図であり、図４は、図３の隔壁１３における第１凸部４１、第２凸部４２、および、第１凸部４１で囲繞される領域のみを示す底面図であり、図５は、図４におけるＶ−Ｖ断面図である。
【００５８】
本実施形態にかかるレンジフード１は、上述のように、フード部３の下面（隔壁１３の下面）に、畝状の凸部１１（詳しくは、第１凸部１１ａ、および、第２凸部１１ｂ）を備えているので、排気が隔壁１３と整流板８との間に形成されたフード内通路２２を通流するにあたって、畝状の凸部１１（第１凸部１１ａ、第２凸部１１ｂ）と整流板８との間を通流する際に、排気の圧力に変動が生じて、気体の状態で排気中に含まれている油分の結露（液化）が促進される。そして、結露（液化）した油分は、隔壁１３の下面側に配設された畝状の凸部１１（第１凸部１１ａ、第２凸部１１ｂ）の周辺に付着し、排気から除去されることになる。
【００５９】
その結果、排気が排気用ファン４に吸い込まれる前の段階、すなわち、排気用ファンの上流側で油分が除去され、排気用ファン４に吸い込まれる排気中の油分の含有率を低下させることが可能になり、排気ダクト３０に排気延長ダクト（図示せず）を接続した場合にも、油分が排気延長ダクトに付着することを抑制することが可能になる。
【００６０】
また、本実施形態にかかるレンジフード１においては、畝状の凸部１１として、第１凸部１１ａと、第２凸部１１ｂを備えており、排気が第１凸部１１ａと整流板８の間を通過する段階と、第２凸部１１ｂと整流板８の間を通過する段階の、２つの段階で油分が除去されることになるため、効率よく排気中の油分を除去することが可能になる。
【００６１】
特に、本実施形態では、第２凸部１１ｂが、第１凸部１１ａに取り囲まれた領域内に、排気用吸い込み口７を囲繞する態様で配設されており、
（ａ）第１凸部１１ａと整流板８の間を通過した後の、排気用ファン４に吸い込まれる排気の全量が、第２凸部１１ｂと整流板８の間を通過するとともに、
（ｂ）第２凸部１１ｂの周方向の長さ（周回距離）が、第１凸部１１ａの周回距離よりも小さく、第１凸部１１ａと整流板８の間を通過する際の排気の流速よりも、第２凸部１１ｂと整流板８の間を通過する際の排気の流速の方が大きくなるため、排気中の油分の結露（液化）を促進する作用が大きくなるので、
油分の分離効率を向上させることが可能になり、本発明をさらに実効あらしめることができる。
【００６２】
なお、上記実施形態では、畝状の凸部１１として、第１凸部１１ａ、第２凸部１１ｂの２つの凸部を設けた場合を例に挙げて説明したが、凸部の数は、単数としてもよく、また、３つ以上としてもよい。
すなわち、第１凸部１１ａのみを設けた構成としてもよく、また、第１凸部１１ａは設けず、第２凸部１１ｂのみを設けた構成とすることも可能であり、さらに第３凸部（図示せず）を設けるように構成することも可能である。
【００６３】
また、上記実施形態では、第１凸部１１ａを、底面視における整流板８の存在領域を囲繞する環状の構造とし、第２凸部１１ｂを、排気用吸い込み口７を囲繞する環状の構造としているが、畝状の凸部１１（第１凸部１１ａ、第２凸部１１ｂ）は、環状でない構造、例えば閉環していない馬蹄形の構造としたり、直線状の構造としたりすることも可能である。
【００６４】
また、上記実施形態では、排気用吸い込み口７を囲繞する第２凸部１１ｂを備えた構成としているが、例えば、図６に示すように、第２凸部は備えず、排気用吸い込み口７の周縁を囲繞しない態様の第３凸部１１ｃを備えた構成とすることも可能である。
【００６５】
また、本発明においては、畝状の凸部１１をフード部３の下面を構成する隔壁１３の下面に設けるようにしているが、畝状の凸部を整流板の上面に設けるようにした場合にも、同様に排気中の油分を低減する効果を得ることができる。
【００６６】
しかしながら、上述の畝状の凸部は、プレス加工などの方法で形成されることが一般的であり、その場合には、整流板の下面に、上面側に形成した凸部に対応する形状の凹部が形成されてしまうことになり、美観上好ましくないことから、通常は、畝状の凸部１１をフード部３の下面を構成する隔壁１３の下面に設けることが好ましい。
【００６７】
本発明は、上記実施形態に限定されるものではなく、本発明の範囲内において種々の変形を加えることが可能である。
【符号の説明】
【００６８】
１      レンジフード
２      ケーシング
３      フード部
４      排気用ファン
５      ファンモータ
６      スイッチ部
７      排気用吸い込み口
８      整流板
８ａ    整流板の一辺
８ｂ    整流板の他辺
９      管状の流路（狭幅流路）
１０    隔壁の下面の排気用吸い込み口の外側に位置する領域
１１    畝状の凸部
１１ａ  第１凸部
１１ｂ  第２凸部
１１ｃ  第３凸部
１３    隔壁
１３ａ  隔壁の下面の整流板の上面と対向する領域
２１    天板
２２    フード内通路
２３    配線用通路
３０    排気ダクト
３１    膨出部
３２    透光孔
５０    ランプ
５１    照明器具設置部
ａ、ａ１、ａ２    汚染空気の流れを示す矢印
【図１】
2019174079.tif 000003
【図２】
2019174079.tif 000004
【図３】
2019174079.tif 000005
【図４】
2019174079.tif 000006
【図５】
2019174079.tif 000007
【図６】
2019174079.tif 000008